【手続補正書】
【提出日】平成30年10月23日(2018.10.23)
【手続補正１】
【補正対象書類名】明細書
【補正対象項目名】０００６
【補正方法】変更
【補正の内容】
【０００６】
上述した課題を解決するために本発明は、
逐次計時される時刻情報を取得する取得手段と、
前記取得手段によって取得された時刻情報を基に、運針を示す複数の指針画像を表示すると共に、背景画像を表示する表示手段と、
前記表示手段の表示領域のうち、前記複数の指針画像の表示位置が含まれる第一の領域と、前記第一の領域と異なる第二の領域を特定する特定手段と、
前記特定手段によって特定された前記第一の領域と、前記第二の領域に対して、処理負荷が異なる軽重の表示動作を行うように前記表示手段を制御する表示制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
逐次計時される時刻情報を取得する取得手段と、
前記取得手段によって取得された時刻情報を基に、運針を示す複数の指針画像を表示すると共に、背景画像を表示する表示手段と、
前記表示手段の表示領域のうち、前記複数の指針画像の表示位置が含まれる第一の領域と、前記第一の領域と異なる第二の領域を特定する特定手段と、
前記特定手段によって特定された前記第一の領域と、前記第二の領域に対して、処理負荷が異なる軽重の表示動作を行うように前記表示手段を制御する表示制御手段と、
を備えることを特徴とする画像表示装置。
【請求項２】
前記特定手段は、前記複数の指針画像の表示位置が含まれる第一の領域を特定すると共に、前記第一の領域を除く前記表示領域において、前記複数の指針画像の表示位置を含まず、且つ少なくとも一部に背景画像が表示される第二の領域を特定し、
前記表示制御手段は、前記第一の領域と、前記第二の領域に対して、処理負荷が異なる軽重の表示動作を行うように前記表示手段を制御する、
ことを特徴とする請求項１に記載の画像表示装置。
【請求項３】
前記特定手段は、前記表示手段の表示領域のうち、複数の指針の中で最も長い指針の回転軌跡に基づいて複数の指針画像の表示位置が含まれる前記第一の領域を運針領域として特定すると共に、この運針領域の外側の領域を前記第二の領域として特定し、
前記表示制御手段は、前記運針領域と前記第二の領域に対して、処理負荷が異なる軽重の表示動作を行うように前記表示手段を制御する、
ことを特徴とする請求項１又は２に記載の画像表示装置。
【請求項４】
前記特定手段は、前記表示手段の表示領域のうち、複数の指針の中で最も長い指針の回転軌跡に外接する四角形を複数の指針画像が表示される運針領域として特定する、
ことを特徴とする請求項３に記載の画像表示装置。
【請求項５】
前記表示制御手段は、前記運針領域に対しては、前記時刻情報に応じて刻々変化する複数の指針の表示位置を運針タイミング毎に制御する表示動作を行い、前記外側の領域に対しては、運針タイミングよりも時間間隔の長いタイミングで背景画像を表示する表示動作を行うように前記表示手段を制御する、
ことを特徴とする請求項３又は４に記載の画像表示装置。
【請求項６】
前記特定手段は、前記時刻情報に応じて刻々変化する複数の指針の表示位置が、前記運針領域を区分した複数の区分領域のうちの一区分領域内に全て収まる場合に、その一区分領域を指針有り領域として特定すると共に、この指針有り領域を除く他の全ての区分領域を前記第二の領域として特定し、
前記表示制御手段は、前記運針領域内に特定された前記指針有り領域と前記第二の領域に対して、処理負荷が異なる軽重の表示動作を行うように前記表示手段を制御する、
ことを特徴とする請求項５に記載の画像表示装置。
【請求項７】
前記表示手段は、ドットマトリックス画面を備えた表示手段であり、
前記運針領域は、前記複数の指針画像が背景画像上に運針表示される領域であり、
前記表示制御手段は、前記運針領域内に特定された指針有り領域に対しては、その領域を構成する各画素を所定方向に走査することにより、運針タイミング毎に、現在の前記走査の位置が前記複数の指針画像のいずれかを表示する位置であるか、背景画像を表示する位置であるかを判別する判別動作を画素毎に順次行いながら背景画像上に複数の指針画像を運針表示させる表示動作を行い、前記運針領域内に特定された指針無し領域に対しては、前記判別動作を行わずに、背景画像を表示する表示動作を行うように前記表示手段を制御する、
ことを特徴とする請求項６に記載の画像表示装置。
【請求項８】
前記表示制御手段は、前記指針有り領域に対して、前記判別動作を行いながら前記表示動作を行う際に、複数の指針を構成する時針、分針、秒針が背景画像の上にその順序で重なり合っているものとして、前記判別動作を行う、
ことを特徴とする請求項７に記載の画像表示装置。
【請求項９】
前記表示制御手段は、前記時刻情報に応じて刻々変化する複数の指針の表示位置が、前記運針領域を区分した複数の区分領域のうちの一区分領域内に全て収まる場合に、その一区分領域の前記運針領域内の位置に応じて、当該一区分領域への走査方向又は走査開始位置を変更するように前記表示手段を制御する、
ことを特徴とする請求項６乃至８のいずれか１項に記載の画像表示装置。
【請求項１０】
前記運針領域内を区分した複数の区分領域は、その運針領域を上下方向に区分した上側領域と下側領域、又は左右方向に区分した右側領域と左側領域である、
ことを特徴とする請求項６乃至９のいずれか１項に記載の画像表示装置。
【請求項１１】
前記表示制御手段は、前記一区分領域が、前記上側領域、前記下側領域、前記右側領域、前記左側領域のいずれであるかに応じて、当該一区分領域への走査方向又は走査開始位置を変更するように前記表示手段を制御する、
ことを特徴とする請求項１０に記載の画像表示装置。
【請求項１２】
前記運針領域を区分した複数の区分領域は、複数の指針の形状、太さに基づいて決定された領域である、
ことを特徴とする請求項６乃至１１のいずれか１項に記載の画像表示装置。
【請求項１３】
デザインの異なる各種の指針画像及び背景画像の中から選択された画像に基づいて新たなデザインのアナログ時計表示用の画像を生成する生成手段と、を更に備え、
前記表示手段は、前記生成手段によって生成されたアナログ時計表示用の画像に基づいた前記複数の指針画像及び背景画像を表示する、
ことを特徴とする請求項１乃至１２のいずれか１項に記載の画像表示装置。
【請求項１４】
前記表示制御手段は、前記特定手段によって特定された前記第一の領域と、前記第二の領域に対して、処理量又は処理時間が異なる軽重の表示動作を行うように前記表示手段を制御する、
ことを特徴とする請求項１乃至１３のいずれか１項に記載の画像表示装置。
【請求項１５】
デザインの異なる各種の指針画像及び背景画像の中から選択された画像に基づいて新たなデザインのアナログ時計表示用の画像を生成する生成手段と、を更に備え、
前記表示手段は、前記生成手段によって生成されたアナログ時計表示用の画像に基づいた前記複数の指針画像及び背景画像を別々に表示する、
ことを特徴とする請求項１乃至１４のいずれか１項に記載の画像表示装置。
【請求項１６】
画像表示装置における画像表示方法であって、
逐次計時される時刻情報を取得する処理と、
前記取得された時刻情報を基に、運針を示す複数の指針画像を表示すると共に、背景画像を表示する表示手段のうち、前記複数の指針画像の表示位置が含まれる第一の領域と、前記第一の領域と異なる第二の領域を特定する処理と、
前記特定された前記第一の領域と、前記第二の領域に対して、処理負荷が異なる軽重の表示動作を行うように前記表示手段を制御する処理と、
を含むことを特徴とする画像表示方法。
【請求項１７】
画像表示装置のコンピュータに対して、
逐次計時される時刻情報を取得する機能と、
前記取得された時刻情報を基に、運針を示す複数の指針画像を表示すると共に、背景画像を表示する表示手段のうち、前記複数の指針画像の表示位置が含まれる第一の領域と、前記第一の領域と異なる第二の領域を特定する機能と、
前記特定された前記第一の領域と、前記第二の領域に対して、処理負荷が異なる軽重の表示動作を行うように前記表示手段を制御する機能と、
を実現させるためのプログラム。